(57)【要約】【課題】便器に生ずる結露水、引っかけられた小水等を確実に捕捉して、据え付け床面の汚損、毀損等を防ぐ。【解決手段】外周縁部に沿って環状起立部２３を備えており、この環状起立部２３の内側を便器本体１１の下端部の外郭形状をなす設置板状部２１と、設置板状部２１及び環状起立部２３間をなす所定幅の環板状部２２としてあり、洋風便器Ａを便器本体１１の下端を設置板状部２１に載せて床Ｃに据え付けた際に、据え付け便器本体１１の下端部外周面１１ｄと環状起立部２３との間に環板状部２２を溝底２４ａとする捕集液の拭き取り可能な環状凹溝２４を構成する。【選択図】図１
2007224561.tif 000002
【特許請求の範囲】
【請求項１】
洋風便器から垂れ落ち、または、流れ落ちる結露水や小水等の液を捕集する受け座であって、
この受け座が外周縁部に沿って環状起立部を備えており、この環状起立部の内側を便器本体の下端部の外郭形状をなす設置板状部と、当該設置板状部及び前記環状起立部間をなす所定幅の環板状部としてあり、
前記洋風便器を該洋風便器における便器本体の下端を前記設置板状部に載せて床に据え付けた際に、当該据え付け便器本体の下端部外周と前記環状起立部との間に前記環板状部を溝底とする捕集液の拭き取り可能な溝幅で、かつ、据え付け便器本体を周回する環状凹溝を構成し得るようにしてあることを特徴とする便器用受け座。
【請求項２】
洋風便器から垂れ落ち、または、流れ落ちる結露水や小水等の液を捕集する受け座であって、
この受け座が、便器本体における下端部の外郭形状をなす盤状部と、この盤状部の外周に沿って当該盤状部を周回するように備えられている所定溝幅の環状凹溝部とを備えており、
前記洋風便器を該洋風便器における便器本体の下端を前記盤状部に載せて床に据え付けた際に、この据え付け便器本体の下端部の外周に沿った環状凹溝部が捕集液の拭き取り可能な溝幅としてあることを特徴とする便器用受け座。
【発明の詳細な説明】
【技術分野】
【０００１】
この発明は、据え付け用いられる洋風便器に生ずる結露水や、便器外周面を伝わって流下される小水等を、床面に届かない状態で確実に捕集すると共に容易に当該捕集液の拭き取り除去をなし得る便器用受け座の提供に関する。
【背景技術】
【０００２】
小水用にも用いられる洋風便器、所謂洋風大便器は、種々の条件のもとで、便器本体等に結露を生ずることが多く、この発生結露水が床面に滴下したり、便器本体等を伝わって床面に流れ落ちたりするなどして床面を汚し、あるいは、床材の劣化を招くなどの不具合があった。
【０００３】
また、当該洋風便器で小水をした際に、小水が便器の外周面を伝わって床面を汚し、あるいは、床材の劣化を招く等の不具合があった。
【０００４】
また、床面を濡らした結露水や小水等は、これらを逐一拭き取るように処置するようにした際にあっても、便器の据え付け下面に毛細管現象で侵入し、便器の据え付け縁部に特有の汚れを生ずる不具合があった。
【０００５】
かかる点から、各種の結露対策等が講じられている。例えば、特許文献１では、便器の室内露出面に付着した結露水による床の変色や損傷を防止する目的で、便器の脚部と床との間に介在される環状部材からなる便器用結露受座が提案されており、環状部材の底面には床との接触面を設けてあるとともに、便器の脚部が載せられる脚部設置面を上面に設けてあり、さらに脚部設置面の外周には結露水を受ける溝状凹部を設けた便器用結露受座が提案されている。
【０００６】
また、特許文献２では、便器に発生する結露水が床に付着しシミや腐れが生じないように、結露水を受け止め処理する目的で、便器台の周りに上げ縁を設け、便器台と便器が密着する部分に凸部を設け、便器台に便器の種頬に応じた、排水ソケットを設け、便器の固定方法に応じた便器固定部材と便器台及び便器固定ボルト穴を設け、さらに、便器台に便器台固定穴を設け、便器台の中ほどに、排水口を設けた結露処理便器台が提案されており、特に、図３では、便器台に結露水吸い取り口を設け、床下などに排水できない場合や排水が困難な場合に施工性に優れ、結露水が連続的に発生し自然蒸発では処理できない場合でも、結露水を結露水吸い取り口から吸い取り処理することのできる結露処理便器台が提案されている。
【０００７】
また特許文献３では、工事の段取りがつけやすく、作業性のよいトイレ用防水パンを、防水パンに孔を設け、該孔に便器排水口を接続する床フランジを設け、該床フランジに伸縮屈曲自在な排水管の一端を接続し、排水管の他端が防水パンの裏側の周縁に沿ってスライド自在となるように排水管の他端を防水パンの裏側の周縁に排水管支持具を介して設けたトイレ用防水パンが提案されている。
【０００８】
また、特許文献４では、洋風便器の据付作業を容易に行なえ、しかも、排水管又は排水ソケットと排水口とを確実に水密的に嵌合させることができる便器用底蓋及び便器据付工法を提案する目的、並びに、既設の洋風便器に対しても容易に防露用底蓋を装着する目的から、底蓋は、洋風便器の底面に内嵌する外形形状のものとし、上面には周縁部に沿って凸条が周設されており、洋風便器固定用ボルトの挿通用の開口と、排水ソケットの挿通用の開口とが設けられており、開口の周囲にはリング状の凸部が設けられており、開口の周囲には、排水ソケットの外筒部の外周面に弾性的に密着するリップ部が設けられている便器用底蓋が提案されている。
【特許文献１】特開２００１−４９７２４
【特許文献２】特開２００１−３５５２７５
【特許文献３】特開平１０−３７２８２
【特許文献４】特開平９−１２５５０７
【発明の開示】
【発明が解決しようとする課題】
【０００９】
特許文献３に示されるトイレ用防水パンは、かかる便器に生ずる結露水や、便器に引っかけられた小水等を確実に捕捉し得る構成を備えているものの、捕集した結露水や小水等を拭き取るための手段を、設置便器の意匠性を損なうこと無く備えるものではなく、一般的な社会生活空間、例えば、住宅、病院等の公共設備、店舗等において設置用いうるものではなかった。
【００１０】
また、特許文献２に示される結露処理便器台は、結露水の吸い取り口が極めて小さく、しかも、備え付けられる便器の後部側の一方側に便器台に備えられていることから、結露水の管理が難しく、便器台によって捕集した結露水を確実にかつ円滑に当該吸い取り口に案内し難く、しかも、集めた結露水を容易に吸い取り処理し難いものであった。
【００１１】
かかる洋風便器は、各種の条件に対応して結露を当該便器の外周面に生じたり、
また、当該便器の設置床面と便鉢間に構成される空間内における各種条件によって当該便鉢の下面や、袴部の内面や、排水口部及び当該排水口に接続される排水ソケット部等に結露を生ずることがあり、これらの便器から流れ落ち、あるいは落下する各種の液体を完全に捕捉し、しかも、この捕捉された各種液体を極力設置便器外に導き出して、当該便器外に案内される捕集液体を手際よく、かつ、容易に拭き取り処理し得る構成を備えた洋風便器は見あたらなかった。
【００１２】
この発明は、かかる点から、設置されている便器に付着されて流れ落ちる小水や、便器の外周面や便鉢の下面等に生じて流れ落ち、あるいは、落下される結露水等を確実に受け入れて、これを便器外に導き出し、この設置便器を巡るいずれの位置においても当該導き出された捕集液を拭き取り得るようにした便器用受け座の提供を目的としている。
【課題を解決するための手段】
【００１３】
前記課題を解決するために第１の発明にあっては、洋風便器から垂れ落ち、または、流れ落ちる結露水や小水等の液を捕集する受け座であって、
この受け座が外周縁部に沿って環状起立部を備えており、この環状起立部の内側を便器本体の下端部の外郭形状をなす設置板状部と、当該設置板状部及び前記環状起立部間をなす所定幅の環板状部としてあり、
前記洋風便器を該洋風便器における便器本体の下端を前記設置板状部に載せて床に据え付けた際に、当該据え付け便器本体の下端部外周と前記環状起立部との間に前記環板状部を溝底とする捕集液の拭き取り可能な溝幅で、かつ、据え付け便器本体を周回する環状凹溝を構成し得るようにしてあることを特徴とする便器用受け座としてある。
【００１４】
このように構成される便器用受け座は、据え付けられた洋風便器の外周面に生ずる結露水や引っかけられた小水等は勿論のこと、当該便器用受け座に向きあっている便鉢の下面、排水口部の外周面、この排水口部に接続されている排水ソケット部、当該排水ソケット部に接続されている排水管部、当該洋風便器における台座部（所謂袴と称する部分）の内側面等の据え付け洋風便器のいずれに生じた結露水であっても、全てを確実に捕捉し、これを据え付け便器本体の外周を巡る環状凹溝に案内し、この環状凹溝において容易に当該捕集液を拭き去り、除去することができる。
【００１５】
また、この捕集液の拭き取りに用いられる環状凹溝は、便器本体の下端部外周を一方の溝面とするように、所定溝幅に構成してあり、用便や清掃等の妨げとならず、しかも、据え付け便器の意匠性を損なうことがない。
【００１６】
前記課題を解決するために第２の発明にあっては、洋風便器から垂れ落ち、または、流れ落ちる結露水や小水等の液を捕集する受け座であって、
この受け座が、便器本体における下端部の外郭形状をなす盤状部と、この盤状部の外周に沿って当該盤状部を周回するように備えられている所定溝幅の環状凹溝部とを備えており、
前記洋風便器を該洋風便器における便器本体の下端を前記盤状部に載せて床に据え付けた際に、この据え付け便器本体の下端部の外周に沿った環状凹溝部が捕集液の拭き取り可能な溝幅としてあることを特徴とする便器用受け座としてある。
【００１７】
このように構成される便器用受け座は、据え付けられた洋風便器の外周面に生ずる結露水や引っかけられた小水等は勿論のこと、当該便器用受け座に向きあっている便鉢の下面、排水口部の外周面、この排水口部に接続されている排水ソケット部、当該排水ソケット部に接続されている排水管部、当該洋風便器における台座部（所謂袴と称する部分）の内側面等の据え付け洋風便器のいずれに生じた結露水であっても、全てを確実に捕捉し、これを据え付け便器本体の外周を巡る環状凹溝部に案内し、この環状凹溝部において容易に当該捕集液を拭き去り、除去することができる。
【００１８】
また、この捕集液の拭き取りに用いられる環状凹溝部は、便器本体の下端部外周に沿うように所定溝幅で構成してあり、用便や清掃等の妨げとならず、しかも、据え付け便器の意匠性を損なうことがない。
【００１９】
また、盤状部を断熱性を備える素材で構成することによって、当該便器等における結露の発生を極力防ぐようにすることができる。
【発明の効果】
【００２０】
この発明に係る便器用受け座は、据え付け便器及び付帯設備に生ずる結露水を確実に捕捉することができ、また、便器に引っかけられた小水等を確実に捕捉して、据え付け便器の据え付け床面の汚損、毀損等を効果的に防ぎ、据え付け便器を快適な使用状態に維持することができる。
【発明を実施するための最良の形態】
【００２１】
以下、図１〜図４にもとづいて、この発明を実施するための最良の形態に係る便器用受け座Ｂについて説明する。
【００２２】
なお、ここで図１及び図２は、第１の発明を実施するための最良の形態に係る典型的な便器用受け座Ｂを用いて洋風便器Ａを据え付ける状態を示しており、図１では、これを要部を破断した状態で側方から見て、図２は、当該洋風便器Ａの据え付け状態を斜め上方から見て示している。
【００２３】
図３及び図４は、当該第２の発明を実施するための最良の形態に係る典型的な便器用受け座Ｂを用いて洋風便器Ａを据え付ける状態を示しており、図３では、これを要部を破断した状態で側方から見て、図４は、当該洋風便器Ａの据え付け状態を斜め上方から見て示している。
【００２４】
まず、図１及び図２に示される第１の発明に係る便器用受け座Ｂ’は、洋風便器Ａから垂れ落ち、または、流れ落ちる結露水や小水等の液を捕集する受け座Ｂであって、
この受け座Ｂが外周縁部に沿って環状起立部２３を備えており、この環状起立部２３の内側を便器本体１１の下端部の外郭形状をなす設置板状部２１と、当該設置板状部２１及び前記環状起立部２３間をなす所定幅の環板状部２２としてあり、
前記洋風便器Ａを該洋風便器Ａにおける便器本体１１の下端を前記設置板状部２１に載せて床Ｃに据え付けた際に、当該据え付け便器本体１１の下端部外周面１１ｄと前記環状起立部２３との間に前記環板状部２２を溝底２４ａとする捕集液の拭き取り可能な溝幅で、かつ、据え付け便器本体１１を周回する環状凹溝２４を構成し得るようにしてある。
【００２５】
このように構成される便器用受け座Ｂ’は、据え付けられた洋風便器Ａの外周面に生ずる結露水や引っかけられた小水等は勿論のこと、当該便器用受け座Ｂ’に向きあっている便鉢１１ｂの下面、排水口部１１ｃの外周面、この排水口部１１ｃに接続されている排水ソケット部４０、当該排水ソケット部４０に接続されている排水口部１１ｃ、当該洋風便器Ａにおける台座部１１ａ（所謂袴と称する部分）の内側面等の据え付け洋風便器Ａのいずれに生じた結露水であっても、全てを確実に捕捉し、これを据え付け便器本体１１の外周面１１ｄを巡る環状凹溝２４に案内し、この環状凹溝２４において容易に当該捕集液を拭き去り、除去することができる。
【００２６】
かかる便器用受け座Ｂ’は、前記洋風便器Ａにおける便器本体１１を水平に載せ置き、かつ、この載せ置いた便器本体１１の下端の外周面１１ｄに沿って一定幅の環状凹溝２４を環状起立部２３との間に構成し得るものであれば、いかなる素材によって構成してあっても、また、いかなる形態に構成してあってもよい。例えば、各種のプラスチック材を用いて各種成形方法で成形提供することができる。また、例えば、洋風便器Ａにおける意匠性等を含めて、便座と色調を同じくする抗菌性プラスチック材によって一体的に成形提供することができる。
【００２７】
また、この便器用受け座Ｂ’を介して床Ｃに据え付けられる洋風便器Ａは、小用にも用いうる腰掛け式の洋風大便器であって、サイホン式、サイホンゼット式、サイホンボルテックス式、洗い落とし式、ブローアウト式等、いかなる排水タイプのものであってもよく、また、ロータンク式、ハイタンク式等、いかなるタイプの洗浄水供給タイプのものであってもよい。
【００２８】
また、この捕集液の拭き取りに用いられる環状凹溝２４は、便器本体１１の下端部外周面１１ｄを一方の溝面とするように、所定溝幅に構成してあり、用便や清掃等の妨げとならず、しかも、据え付け便器の意匠性を損なうことがない。
【００２９】
ついで、図３及び図４に示される第２の発明に係る便器用受け座Ｂ”は、洋風便器Ａから垂れ落ち、または、流れ落ちる結露水や小水等の液を捕集する受け座Ｂであって、
この受け座Ｂが、便器本体１１における下端部の外郭形状をなす盤状部３１と、この盤状部３１の外周に沿って当該盤状部３１を周回するように備えられている所定溝幅の環状凹溝部３２とを備えており、
前記洋風便器Ａを該洋風便器Ａにおける便器本体１１の下端を前記盤状部３１に載せて床Ｃに据え付けた際に、この据え付け便器本体１１の下端部の外周面１１ｄに沿った環状凹溝部３２が捕集液の拭き取り可能な溝幅とした構成としてある。
【００３０】
このように構成される便器用受け座Ｂ”は、据え付けられた洋風便器Ａの外周面に生ずる結露水や引っかけられた小水等は勿論のこと、当該便器用受け座Ｂ”に向きあっている便鉢１１ｂの下面、排水口部１１ｃの外周面、この排水口部１１ｃに接続されている排水ソケット部４０、当該排水ソケット部４０に接続されている排水口部１１ｃ、当該洋風便器Ａにおける台座部１１ａ（所謂袴と称する部分）の内側面等の据え付け洋風便器Ａのいずれに生じた結露水であっても、全てを確実に捕捉し、これを据え付け便器本体１１の外周面１１ｄを巡る環状凹溝部３２に案内し、この環状凹溝部３２において容易に当該捕集液を拭き去り、除去することができる。
【００３１】
かかる便器用受け座Ｂ”は、前記洋風便器Ａにおける便器本体１１の下端部の外郭形状をなして当該便器本体１１を水平に載せ置く盤状部３１と、この盤状部３１を周回するように備えられている所定溝幅の環状凹溝部３２とを備えたものであれば、いかなる素材によって構成してあっても、また、いかなる形態に構成してあってもよい。例えば、盤状部３１と環状凹溝部３２とを同一の素材によって一体に構成してあっても、また、盤状部３１と環状溝部とを各別に同一または異なる素材を用いて成形した後、両者を組み付けるように構成してあってもよい。かかる盤状部３１は、例えば、硬質のゴム系素材やプラスチック材によって構成することができる。また、環状凹溝部３２は、例えば、可撓性を備える各種のプラスチック材を用いて各種成形方法で成形提供することができる。また、例えば、この環状凹溝部３２を洋風便器Ａにおける意匠性等を含めて、便座と色調を同じくする抗菌性プラスチック材によって成形してあってもよい。。
【００３２】
また、この捕集液の拭き取りに用いられる環状凹溝部３２は、便器本体１１の下端部外周面１１ｄに沿うように所定溝幅で構成してあり、用便や清掃等の妨げとならず、しかも、据え付け便器の意匠性を損なうことがない。
【００３３】
また、盤状部３１を断熱性を備える素材で構成することによって、当該便器等における結露の発生を極力防ぐようにすることができる。
【００３４】
また、この便器用受け座Ｂ”を介して床Ｃに据え付けられる洋風便器Ａは、小用にも用いうる腰掛け式の洋風大便器であって、サイホン式、サイホンゼット式、サイホンボルテックス式、洗い落とし式、ブローアウト式等、いかなる排水タイプのものであってもよく、また、ロータンク式、ハイタンク式等、いかなるタイプの洗浄水供給タイプのものであってもよい。
【００３５】
ついで、図１及び図２に示される便器用受け座Ｂ’について詳細に説明する。
この図示例に係る便器用受け座Ｂ’は、板状をなすプレート２０の外周縁部に当該プレート２０の面からほぼ１０ｍｍ起立するように環状起立部２３を設けたものである。そして、この便器用受け座Ｂ’を介して床Ｃに設置される洋風便器Ａの形態、特に、便器本体１１の下端の形状に対応する形状、すなわち、便器本体１１の下端の外郭の形状に対応した設置板状部２１と、この設置板状部２１から一連に連続して備えられている一定幅の環板状部２２とを備えており、しかも、この環板状部２２の外周縁部に前記環状起立部２３を一体に備えた構成としてある。
【００３６】
この図示例に係る便器用受け座Ｂ’を構成する環状起立部２３は、前記プレート２０を斜め上に向けて屈曲状に起立させた傾斜板部２３ａと、この傾斜板部２３ａの上端から水平向きに延設されている頂端板部２３ｂと、この頂端板部２３ｂから床Ｃ面に到るように垂直向きに屈曲されている外周化粧板部２３ｃとを備えており、前記傾斜板部２３ａは溝底２４ａから外方に向けてほぼ２ｍｍの範囲内でほぼ１０ｍｍの高さとなるように構成してあり、また、前記頂端板部２３ｂはほぼ５ｍｍ幅に構成してあり、この頂端板部２３ｃの内側縁と当該便器用受け座Ｂ’に据え付けられる便器本体１１の外周面１１ｄとの間に前記環板状部２２を溝底２４ａとするほぼ１５ｍｍ幅の環状凹溝２４を構成してある。
【００３７】
かかる便器用受け座Ｂ’を床Ｃに備え付けると共に便器の排水口部１１ｃに接続されて該排水口から洗浄水を受ける排水ソケット４０を排水管５０に当該洗浄水を送り込むように接続した状態で床フランジ４１を便器用受け座Ｂ’に押しつけ状態にしてセットする。また、便器本体１１を固定する固定片４２を当該便器用受け座Ｂ’にセットする。
【００３８】
ついで、便器本体１１を当該便器本体１１における排水口部１１ｃを前記排水ソケット４０に接続させて当該便器用受け座Ｂ’における設置板状部２１に載せ置き、前記排水ソケット４０を床Ｃに止着した便器固定用木ねじ４３に一連に備えられているボルト部４３ａを便器本体１１の後部側に備えられている止着用異径孔に受け入れ、この受け入れボルト部４３ａにワッシャー４６を嵌め付けた後、ナット４５を螺着して便器本体１１を床Ｃに固定する。また、便器本体１１の前部側に備えられている止着用異径孔から木ねじ４７を前記固定片４２にねじ入れて当該便器本体１１を固定する。なお、この木ねじ４７の頭部及び前記ボルト部４３ｃに螺着したナット４５を隠すように化粧キャップが嵌め入れられる。
【００３９】
このように便器受け座Ｂを介して洋風便器Ａを据え付けることによって、この洋風便器Ａはほぼ１０ｍｍの深さの受け部を環状起立部２３内に備えた便器用受け座Ｂ’内に都合良く据え付けられて、この洋風便器Ａに生ずる結露水や洋風便器Ａに引っかけられた小水等の全てを外部に溢れ出さないように捕捉することができ、しかも、その便器本体１１の外周面１１ｄに沿って環板状部２２を溝底２４ａとするほぼ１５ｍｍ幅の環状凹溝２４において容易に拭き取り除去することができる。なお、ここでセットされる洋風便器Ａは一般に市販されて用いられている便器であって、便器本体１１部上に便座１３、便蓋１４や洗浄水のタンク１２等、当該洋風便器Ａを構成する各部材を備えて構成してある。
【００４０】
ついで、図３及び図４に示される便器用受け座Ｂ”について詳細に説明する。
この図示例に係る便器用受け座Ｂ”は、便器本体１１における下端部の外郭形状をなす盤状部３１と、この盤状部３１の外周に沿って当該盤状部３１を周回するように当該盤状部３１に一体的に組み付け備えられる所定溝幅の環状凹溝部３２とを備えた構成としてある。
【００４１】
ここで用いられる盤状部３１は、例えば、硬質のゴム系や硬質のプラスチック系素材によってほぼ１０ｍｍの厚さをなし、しかも、据え付けられる便器本体１１の下端部の外郭形状をなすように構成してある。また、この盤状部３１は、その周辺に向けて緩やかな下り勾配を備えた構成としてあり、当該盤状部３１に受けられた結露水等が円滑に当該盤状部３１から外側にある環状凹溝部３２に案内され得る構成としてある。また、この盤状部３１の外周面には、この外周面から突き出す突条３１ａが当該外周面を巡るように設けてあり、しかも、この突条３１ａが半円よりも大きな円弧状断面をなすように構成してある。
【００４２】
また、この盤状部３１に組み付け用いられる環状凹溝部３２は、可撓性を備えたプラスチック材によって構成してあり、環状に撓めて前記盤状部３１の外周に備えられている突条３１ａに掛合させて、当該盤状部３１に一体的に組み付け用いられる構成としてある。より具体的には、底板部３２ｂの両側に側板部３２ｃ、３２ｆを一体的に起立状態に備えてほぼ１５ｍｍ幅の溝３２ａを構成してあり、しかも、前記盤状部３１に組み付けられる側の側板部３２ｃの外側面には、その長さ方向に向けて前記突条３１ａに掛合する掛合溝３２ｇを設けてあり、また、他方の側板部３２ｆは底板部３２ｂから上方にやや傾斜してほぼ１０ｍｍほどの起立板部３２ｄとした後屈曲させてほぼ５ｍｍほどの水平な頂端板部３２ｅを構成し、更に下方に向けて屈曲させることによって床Ｃ面に到る垂直な化粧面板部３２ｆを備えた構成としてある。また、前記掛合溝３２ｇは前記底板部３２ｂから起立される側板部３２ｃを一旦溝３２ａ側に湾曲させた後、再度外方に湾曲させて半円より大きい円弧状断面をなす構成としてあり、前記掛合突条３１ａを弾性的に受け入れて、当該盤状部３１に対して着脱可能に組み付け得るようにしてある。
【００４３】
かかる便器用受け座Ｂ”を床Ｃに備え付けると共に便器の排水口部１１ｃに接続されて該排水口から洗浄水を受ける排水ソケット４０を排水管５０に当該洗浄水を送り込むように接続した状態で床フランジ４１を便器用受け座Ｂ”の盤状部３１に押しつけ状態にしてセットする。また、便器本体１１を固定する固定片４２を当該便器用受け座Ｂ”の盤状部３１にセットする。
【００４４】
ついで、便器本体１１を当該便器本体１１における排水口部１１ｃを前記排水ソケット４０に接続させて当該便器用受け座Ｂ”における盤状部３１に載せ置き、前記排水ソケット４０を床Ｃに止着した便器固定用木ねじ４３に一連に備えられているボルト部４３ａを便器本体１１の後部側に備えられている止着用異径孔に受け入れ、この受け入れボルト部４３ａにワッシャー４６を嵌め付けた後、ナット４５を螺着して便器本体１１を床Ｃに固定する。また、便器本体１１の前部側に備えられている止着用異径孔から木ねじ４７を前記固定片４２にねじ入れて当該便器本体１１を固定する。なお、前記木ねじ４７の頭部及びボルト部４３ａに螺着したナット４５を隠すように化粧キャップを嵌め入れてある。
【００４５】
なお、前記便器本体１１の据え付けは、便器用受け座Ｂ”の盤状部３１から環状凹溝部３２を取り外して、この盤状部３１のみを用いて便器本体１１の据え付けをなした後に、この洋風便器Ａを備えた盤状部３１に環状凹溝部３２を組み付けるようにしてもよい。
【００４６】
このように便器受け座Ｂを介して洋風便器Ａを据え付けることによって、この洋風便器Ａはほぼ１５ｍｍ幅の、かつ、１０ｍｍ深さの溝を便器本体１１の外周面１１ｄに沿って備えることとなり、洋風便器Ａの外周面から流れ落ちる結露水や小水等と、盤状部３１に受けた流下結露水や落下結露水等の全てを捕捉して、これを環状凹溝部３２に円滑に案内し、この環状凹溝部３２に受け入れた捕集液を拭き取り除去することができる。
【００４７】
なお、この便器用受け座Ｂ”を盤状部３１と環状凹溝部３２との組み付け構造とすることによって、環状凹溝部３２を取り外して掃除等をなすことができ、また当該環状凹溝部３２が汚損された際にこれを容易に取り替えることができる。
【００４８】
なお、ここでセットされる洋風便器Ａは一般に市販されて用いられている便器であって、便器本体１１部上に便座１３、便蓋１４や洗浄水のタンク１２等、当該洋風便器Ａを構成する各部材を備えて構成してある。
【図面の簡単な説明】
【００４９】
【図１】典型的な便器用受け座を用いて洋風便器を据え付けた状態の要部破断側面図
【図２】同据え付け状態を示す斜視図
【図３】典型的な他の便器用受け座を用いて洋風便器を据え付けた状態の要部破断側面図
【図４】同据え付け状態を示す斜視図
【符号の説明】
【００５０】
Ａ  洋風便器
Ｂ  便器用受け座
Ｃ  床
１１  便器本体
１１ｄ  下端部外周面
２１  設置板状部
２２  環板状部
２３  環状起立部
２４  環状凹溝
【図１】
2007224561.tif 000003
【図２】
2007224561.tif 000004
【図３】
2007224561.tif 000005
【図４】
2007224561.tif 000006